(57)【要約】【課題】電気料金の安い時間帯を選んで電気製品等を使用する需要家に対し、スマートメータの内蔵時計の時刻と屋内に設置された時計の時刻が合っていない場合でも不具合が生じるおそれのない電源供給装置を提供する。【解決手段】電源供給装置１ａは、所定の時間帯ごとに異なる周波数で「第１の識別信号」を送信するスマートメータ２と、この「第１の識別信号」を受信する複数の時間帯別コンセント３によって構成されており、スマートメータ２は、端子部２ａに接続された機器等による消費電力量を求める計量部２ｂと、消費電力量に基づいて課金計算等の演算を行う演算部２ｃと、内蔵時計２ｇと、通信部２ｈを備えており、時間帯別コンセント３は、スマートメータ２の通信部２ｈから送信された信号を受信する受信部３ａと、差込プラグ３ｇと、差込口３ｈと、差込プラグ３ｇと差込口３ｈを接続する回路を制御部３ｃの指示に従って開閉する開閉部３ｉを備えている。【選択図】図２
2018093591.tif 000002
【特許請求の範囲】
【請求項１】
スマートメータと複数の時間帯別コンセントと集約器からなり、
前記スマートメータは、内蔵時計と、この内蔵時計に基づいて所定の時間帯ごとに異なる周波数で「第１の識別信号」を送信する第１の通信部と、を備え、
前記時間帯別コンセントは、受信部と、「第２の識別番号」が保存された第１のメモリと、差込口と、差込プラグと、この差込プラグと前記差込口を接続する回路と、この回路を開閉する開閉部と、この開閉部の動作を制御する第１の制御部と、を備え、
前記集約器は、前記スマートメータの前記第１の通信部から所定の時間帯に送信された前記「第１の識別信号」を受信する第２の通信部と、電波時計と、第２の制御部と、を備え、
前記集約器の前記第２の通信部は、前記スマートメータの前記第１の通信部から受信した前記「第１の識別信号」を前記第２の制御部の指示に従って前記電波時計に基づいて所定の時間帯ごとにそれぞれ異なる周波数で「第２の識別信号」として発信し、
前記時間帯別コンセントは、予め定められた周波数の前記「第２の識別信号」のみを前記受信部が受信するとともに、前記「第２の識別信号」により特定される「第１の識別番号」が前記第１のメモリに予め保存されている前記「第２の識別番号」と一致した場合に前記開閉部が前記第１の制御部の指示に従って前記回路を開閉することを特徴とする電源供給装置。
【請求項２】
前記集約器は、前記第２の制御部の指示に従って動作するランプを備え、
前記第２の通信部が前記「第１の識別信号」を受信した時刻から求められる前記スマートメータの前記内蔵時計の「第１の現在時刻」と前記電波時計の「第２の現在時刻」のずれが予め定められた所望の値を超えている場合に前記ランプを点灯させることを特徴とする請求項１に記載の電源供給装置。
【請求項３】
前記集約器の前記第２の通信部は前記第２の制御部から受け取った前記「第２の識別番号」に関する情報を「識別番号設定信号」に変換して発信し、
前記時間帯別コンセントは、前記「第１の識別番号」が前記「第２の識別番号」と一致した場合に、前記第１の制御部が前記受信部によって受信された前記「識別番号設定信号」から前記「第２の識別番号」を特定して前記第１のメモリに保存させることを特徴とする請求項１又は請求項２に記載の電源供給装置。
【請求項４】
契約に基づいて電力会社から需要家に対して付与される「契約番号」が前記「第１の識別番号」及び前記「第２の識別番号」として用いられることを特徴とする請求項１乃至請求項３のいずれか１項に記載の電源供給装置。
【請求項５】
前記スマートメータの「型番号」が前記「第１の識別番号」及び前記「第２の識別番号」として用いられることを特徴とする請求項１乃至請求項３のいずれか１項に記載の電源供給装置。
【発明の詳細な説明】
【技術分野】
【０００１】
本発明は、スマートメータとともに用いられる電源供給装置に係り、特に、「使用／不使用状態を切り替える機能を有する時間帯別コンセントや内蔵した電波時計の時刻とスマートメータの現在時刻のずれを検出する集約器を備えた電源供給装置に関する。
【背景技術】
【０００２】
近年、アナログ式誘導型電力量計に代わるものとして、通信機能を有し、電力をデジタルで計測するスマートメータと呼ばれる電力量計が注目されている。しかし、このスマートメータは、通常、屋外に設置されているため、需要家が屋内で使用している時計と時刻がずれていても需要家はそのことに気が付き難い。そして、両者の時刻がずれていることに気が付かないままでいると、せっかく電気料金の安い時間帯に集中して家電製品等を使用するように心がけていたとしても期待通りの結果が得られないおそれがある。
【０００３】
需要家による電力消費量の節約に貢献するための技術としては、従来、いろいろな方法が提案されている。そして、それに関し、既に、いろいろな発明が開示されている。
例えば、特許文献１には、屋内に設置される複数の電気機器が使用する電力を制御する「給電制御システムおよびアダプタ」という名称の発明が記載されている。
この発明は、電気機器が接続される電力監視アダプタと、この電力監視アダプタから消費電力に関する情報を受信する電力制御アダプタを備えており、総消費電力量が規定値以上になると、電力制御アダプタが電力監視アダプタから電気機器への電力の供給を停止することを特徴としている。
このような構成により、主幹ブレーカを工事せずとも、電力の監視及び制御を行うことが可能となっている。
【０００４】
また、特許文献２には、「電気料金算出装置及び方法」という名称で、複数箇所で使用した電力の合計値やその電気料金を算出する装置と方法に関する発明が記載されている。
この発明に係る「電気料金算出装置」は、プラグが挿入されたとき、その電気機器の利用者と種別を識別して電力を供給するスマートコンセントと、個々の利用者が使用した電力を時間帯ごとに集計する演算部を備え、使用電力の合計値が上限設定値を超えた場合、演算部が所定のスマートコンセントに指令を出して、電力の供給を停止させる構成となっている。
このような構成によれば、電力需要のピーク時において利用者による使用電力の抑制に貢献できる。
【０００５】
さらに、特許文献３には、「電気機器への電力供給管理方法および電力管理ネットワークシステム」という名称で、需要家や電力会社等が電気機器の遠隔操作を行う際に用いられるシステム等に関する発明が記載されている。
この発明に係る「電力管理ネットワークシステム」は、需要家が電力供給を管理したい電気機器や通電を希望する時間帯を管理センタの管理サーバにパソコン等の通信端末を用いて登録するとともに、この登録された情報に基づいて、管理サーバがインターネットを通じて、需要家の電力施設の分電盤を制御し、この分電盤に接続される所定のコンセントに対して電力の供給を開始若しくは停止する構成となっている。
このような構成によれば、需要家は最も料金メリットのある時間帯にあわせて各電気機器を使用することができる。
【０００６】
そして、特許文献４には、「電気料金精算システム及び電気料金精算アダプタ」という名称で、コンセントの使用者に対して電気料金を課すシステムに関する発明が記載されている。
この発明に係る「電気料金精算システム」は、コンセントに接続する電源プラグと、機器の電源プラグを接続する専用コンセントを備え、コンセントから供給された電力を専用コンセントに接続された機器へ供給するアダプタを備えたことを特徴としている。そして、明細書には、このアダプタが時計機能を有し、タイマー設定や電気料金算定における時刻情報等に用いられる時刻管理部と、アダプタの利用に係る契約者ＩＤの認証用データの取得に用いられる認証部を備えること、及び、この認証部は液晶ディスプレイによって電力量や電気料金等を表示する構成としても良いことが記載されている。
近年、電気自動車等に対して、一般のコンセントから充電することが可能になってきているが、上記構成の発明によれば、このように充電専用の設備ではないコンセントから充電しようとした場合でも、その充電分の電気料金がコンセントの所有者に請求されることなく、実際にコンセントを使用した者に課金されるため、一般のコンセントの利用の普及を図ることができる。
【先行技術文献】
【特許文献】
【０００７】
【特許文献１】特開２０１４−６８４３６号公報
【特許文献２】特開２０１３−１４９２８２号公報
【特許文献３】特開２００６−２５４７４号公報
【特許文献４】特開２０１０−９２２３２号公報
【発明の概要】
【発明が解決しようとする課題】
【０００８】
これらの文献に記載された発明では、コンセントがスマートメータによって識別番号を介して識別される構成、及び、スマートメータの内蔵時計にコンセントのタイマーを一致させる構成となっていない。したがって、スマートメータの内蔵時計の時刻と屋内に設置された時計の時刻が合っていない場合、需要家が屋内の時計を基準として電気料金の安い時間帯を選んで電気製品等を使用したとしても思うように電気料金を安くすることができないという課題があった。
【０００９】
本発明はかかる従来の事情に対処してなされたものであり、電気料金の安い時間帯を選んで電気製品等を使用する需要家に対し、スマートメータの内蔵時計の時刻と屋内に設置された時計の時刻が合っていない場合でも不具合が生じるおそれのない電源供給装置を提供することを目的とする。
【課題を解決するための手段】
【００１０】
上記目的を達成するため、第１の発明に係る電源供給装置は、スマートメータと複数の時間帯別コンセントと集約器からなり、スマートメータは、内蔵時計と、この内蔵時計に基づいて所定の時間帯ごとに異なる周波数で「第１の識別信号」を送信する第１の通信部と、を備え、時間帯別コンセントは受信部と、「第２の識別番号」が保存された第１のメモリと、差込口と、差込プラグと、この差込プラグと差込口を接続する回路と、この回路を開閉する開閉部と、この開閉部の動作を制御する第１の制御部と、を備え、集約器は、スマートメータの第１の通信部から所定の時間帯に送信された「第１の識別信号」を受信する第２の通信部と、電波時計と、第２の制御部と、を備え、集約器の第２の通信部は、スマートメータの第１の通信部から受信した「第１の識別信号」を第２の制御部の指示に従って電波時計に基づいて所定の時間帯ごとにそれぞれ異なる周波数で「第２の識別信号」として発信し、時間帯別コンセントは、予め定められた周波数の「第２の識別信号」のみを受信部が受信するとともに、「第２の識別信号」により特定される「第１の識別番号」が第１のメモリに予め保存されている「第２の識別番号」と一致した場合に開閉部が第１の制御部の指示に従って回路を開閉することを特徴とするものである。
【００１１】
このような構造の電源供給装置においては、時間帯別コンセントによって「第１の識別番号」と「第２の識別番号」に基づいてスマートメータが識別されるため、「第２の識別番号」と異なる「第１の識別番号」を有するスマートメータから発信された「第１の識別信号」に基づいて集約器から発信された「第２の識別信号」を時間帯別コンセントが誤って受信してしまうおそれがない。また、時間帯別コンセントの開閉部が集約器の電波時計に基づいて差込プラグと差込口を接続する回路を開閉するように作動する。
【００１２】
また、第２の発明は、第１の発明において、集約器は、第２の制御部の指示に従って動作するランプを備え、第２の通信部が「第１の識別信号」を受信した時刻から求められるスマートメータの内蔵時計の「第１の現在時刻」と電波時計の「第２の現在時刻」のずれが予め定められた所望の値を超えている場合にランプを点灯させることを特徴とするものである。
【００１３】
このような構造の電源供給装置においては、第１の発明の作用に加えて、集約器の電波時計の時刻とスマートメータの内蔵時計の時刻にずれが生じていることが集約器のランプにより視覚を通じて需要家に報知されるという作用を有する。
【００１４】
第３の発明は、第１の発明又は第２の発明において、集約器の第２の通信部は第２の制御部から受け取った「第２の識別番号」に関する情報を「識別番号設定信号」に変換して発信し、時間帯別コンセントは、「第１の識別番号」が「第２の識別番号」と一致した場合に、第１の制御部が受信部によって受信された「識別番号設定信号」から「第２の識別番号」を特定して第１のメモリに保存させることを特徴とするものである。
このような構造の電源供給装置においては、時間帯別コンセントに対する「第２の識別番号」の設定が集約器を用いて行われるため、時間帯別コンセントには表示部や「第２の識別番号」を設定する際に使用される操作ボタンを設ける必要がない。したがって、第３の発明では、第１の発明又は第２の発明の作用に加えて、電源供給装置が小型化され、時間帯別コンセントの「第２の識別番号」の設定作業が容易になるという作用を有する。
【００１５】
第４の発明は、第１の発明乃至第３の発明のいずれかの発明において、契約に基づいて電力会社から需要家に対して付与される「契約番号」が「第１の識別番号」及び「第２の識別番号」として用いられることを特徴とするものである。
このような構造の電源供給装置においては、第１の発明乃至第３の発明のいずれかの発明の作用に加え、「契約番号」は需要家ごとに異なるため、他の需要家のスマートメータ及び時間帯別コンセントと「第１の識別番号」及び「第２の識別番号」が重複するという事態が回避されるという作用を有する。
【００１６】
第５の発明は、第１の発明乃至第３の発明のいずれかの発明において、スマートメータの「型番号」が「第１の識別番号」及び「第２の識別番号」として用いられることを特徴とするものである。
このような構造の電源供給装置においては、第１の発明乃至第３の発明のいずれかの発明の作用に加え、「型番号」はスマートメータごとに異なるため、他の需要家のスマートメータ及びコンセントと「第１の識別番号」及び「第２の識別番号」が重複する可能性がなく、また、電力会社と需要家の間の契約の有無に関わらず「第１の識別番号」及び「第２の識別番号」の設定が可能になるという作用を有する。
【発明の効果】
【００１７】
第１の発明によれば、需要家は、壁等のコンセントに差込プラグが差し込まれた状態の複数の時間帯別コンセントのうち、特定の時間帯別コンセントの差込口に差込プラグが差し込まれた電気製品等のみに電力が供給されるため、使用する時間帯別コンセントを選定することで、スマートメータの内蔵時計の時刻と屋内に設置された時計の時刻が合っていない場合でも、電気製品等への電力の供給が正しい時刻に従って行われるため、不利益を生じるおそれがない。
【００１８】
第２の発明によれば、第１の発明の効果に加え、需要家は、屋内等に設置されている他の時計を確認するまでもなく、スマートメータの内蔵時計の時刻が正しい時刻からずれていることを瞬時に知ることができるという効果を奏する。
【００１９】
第３の発明によれば、第１の発明又は第２の発明の効果に加えて、時間帯別コンセントの設置場所に対する制約を少なくするとともに、時間帯別コンセントを設置する際の作業性を向上させることができるという効果を奏する。
【００２０】
第４の発明によれば、第１の発明乃至第３の発明のいずれかの発明の効果に加え、他の需要家のスマートメータ及び時間帯別コンセントと「第１の識別番号」及び「第２の識別番号」が重複してしまうおそれがないため、使用時の信頼性が高まるという効果を奏する。
【００２１】
第５の発明によれば、第１の発明乃至第３の発明のいずれかの発明の効果に加え、工場出荷時等にコンセントのメモリに対して事前にスマートメータの「型番号」を「第１の識別番号」及び「第２の識別番号」として記憶させておくことで、需要家が「第１の識別番号」及び「第２の識別番号」を設定する操作を不要にし、当該操作による「第１の識別番号」及び「第２の識別番号」の設定ミスを防止できるという効果を奏する。
【図面の簡単な説明】
【００２２】
【図１】本発明の実施の形態に係る電源供給装置の実施例１の構成を示す模式図である。
【図２】（ａ）及び（ｂ）はそれぞれ図１に示した電源供給装置を構成するスマートメータ及び時間帯別コンセントの構成を示すブロック図である。
【図３】（ａ）はスマートメータの正面図であり、（ｂ）及び（ｃ）はそれぞれ時間帯別コンセントの正面図及び側面図である。
【図４】実施例１の電源供給装置において時間帯別コンセントの開閉部やランプが作動するタイミングを説明するためのフローチャートである。
【図５】本発明の実施の形態に係る電源供給装置の実施例２の構成を示す模式図である。
【図６】（ａ）及び（ｂ）はそれぞれ図５に示した電源供給装置を構成する集約器及び時間帯別コンセントの構成を示すブロック図である。
【図７】（ａ）は集約器の正面図であり、（ｂ）及び（ｃ）はそれぞれ時間帯別コンセントの正面図及び側面図である。
【図８】実施例２の電源供給装置において集約器を用いて「第２の識別番号」を設定する際の手順を示したフローチャートである。
【図９】実施例２の電源供給装置において時間帯別コンセントの開閉部やランプが作動するタイミングを説明するためのフローチャートである。
【発明を実施するための形態】
【００２３】
本発明の電源供給装置について、図１〜図９を用いて説明する。なお、本発明の電源供給装置を構成するスマートメータや時間帯別コンセント、あるいは集約器における表示部に表示される画面の形態や入力部を構成するボタンの形状若しくは配置等については、以下に示した場合に限定されるものではなく、適宜変更可能である。
【実施例１】
【００２４】
図１は本発明の実施の形態に係る電源供給装置の実施例１の構成を示す模式図である。図２は（ａ）及び図２（ｂ）はそれぞれ図１に示した電源供給装置を構成するスマートメータ及び時間帯別コンセントの構成を示すブロック図である。また、図３（ａ）はスマートメータの正面図であり、図３（ｂ）及び図３（ｃ）はそれぞれ時間帯別コンセントの正面図及び側面図である。図４は時間帯別コンセントにおいて開閉部やランプが作動するタイミングを説明するためのフローチャートである。
図１に示すように、電源供給装置１ａは、所定の時間帯ごとにそれぞれ異なる周波数で「第１の識別信号」を送信するスマートメータ２と、この「第１の識別信号」を受信する複数の時間帯別コンセント３によって構成されている。
【００２５】
図２（ａ）に示すように、スマートメータ２では、端子部２ａに接続された機器等によって消費された電力量に関する信号が計量部２ｂに送られる（矢印Ａ）。計量部２ｂによって上記電力量が求められ、その結果は演算部２ｃに送られる（矢印Ｂ）。演算部２ｃでは、計量部２ｂによって計量された電力量に基づいて課金計算等の演算が行われ、その結果は、制御部２ｄに送られる（矢印Ｃ）。計量部２ｂや演算部２ｃの処理によって得られた結果は、制御部２ｄからメモリ２ｅに送られて保存される（矢印Ｄ）。
また、メモリ２ｅに保存された内容は、制御部２ｄの指示に従ってメモリ２ｅから適宜読み出された後（矢印Ｅ）、表示部２ｆに送られて表示される（矢印Ｆ）。
【００２６】
さらに、スマートメータ２は、制御部２ｄに時刻を示す信号を送って（矢印Ｇ）、各処理が行われるタイミングを管理する内蔵時計２ｇと、外部から受信した信号を制御部２ｄに送ったり（矢印Ｈ）、メモリ２ｅから読み出された情報を制御部２ｄから受け取って（矢印Ｉ）信号化した後、外部へ発信したりする通信部２ｈと、各種の情報や制御部２ｄに対する指示の入力（矢印Ｊ）に用いられる入力部２ｉを備えている。
【００２７】
図２（ｂ）に示すように、時間帯別コンセント３は、スマートメータ２の通信部２ｈから発信された「第１の識別信号」を受信する受信部３ａと、制御部３ｃの指示に従って「第２の識別番号」等を表示する表示部３ｄと、各種の情報や制御部３ｃに対する指示の入力に用いられる入力部３ｅと、この入力部３ｅから入力された情報等が保存されるメモリ３ｆと、壁等に設置されたコンセントに差し込まれる差込プラグ３ｇと、電気製品等の差込プラグが差し込まれる差込口３ｈと、差込プラグ３ｇを介して外部から供給された電力を差込口３ｈに供給する回路を制御部３ｃの指示に従って開閉する開閉部３ｉと、差込口３ｈに対する上記電力の供給状態を示すランプ３ｂを備えている。
【００２８】
図３（ａ）に示すように、スマートメータ２の前面には、表示部２ｆと、画面切換ボタン４ａ、確定ボタン４ｂ及び操作ボタン４ｃ，４ｄからなる入力部２ｉが設けられている。表示部２ｆは、計量部２ｂによる計量結果を示す「電力量表示画面」と、確定ボタン４ｂ及び操作ボタン４ｃ，４ｄを用いて「第１の識別番号」を入力する際に使用される「識別番号入力画面」が画面切換ボタン４ａを押すごとに切り替わる構成となっている。
【００２９】
なお、上記「第１の識別番号」としては「契約番号」を用いることができる。ただし、「契約番号」とは電力会社と需要家の間の契約に基づいて電力会社から需要家に対して付与される番号のことである。そして、スマートメータ２では、この「契約番号」を１桁ずつ入力可能となっている。
【００３０】
操作ボタン４ｃは入力可能な桁を変更する際に用いられ、操作ボタン４ｄは入力する値を変更する際に用いられる。すなわち、入力可能な桁は、操作ボタン４ｃにおいて、上部の三角印を押すたびに、右へ１つずつ移動し、下部の三角印を押すたびに、左へ１つずつ移動する。また、入力される値は、操作ボタン４ｄにおいて、上部の三角印を押すたびに、０〜９の間で１ずつ大きくなり、下部の三角印を押すたびに、０〜９の間で１ずつ小さくなる。
【００３１】
この「識別番号入力画面」が表示部２ｆに表示されている状態で、確定ボタン４ｂを押すと、画面に表示されている番号が「第１の識別番号」として確定され、その情報が制御部２ｄに送られる（図２（ａ）の矢印Ｊ参照）。さらに、この「第１の識別番号」に関する情報は、制御部２ｄからメモリ２ｅに送られて保存される（図２（ａ）の矢印Ｄ参照）。一方、通信部２ｈは、制御部２ｄから「第１の識別番号」に関する情報を受け取り、「第１の識別信号」を内蔵時計２ｇの現在時刻に従って、所定の時間帯ごとにそれぞれ異なる周波数で発信する。
【００３２】
図３（ｂ）及び図３（ｃ）に示すように、時間帯別コンセント３は、「識別番号入力画面」が表示される表示部３ｄと、確定ボタン５ａ及び操作ボタン５ｂ，５ｃからなる入力部３ｅと、差込口３ｈと、ランプ３ｂが前面に設けられており、差込プラグ３ｇが背面に設けられている。
【００３３】
時間帯別コンセント３においてもスマートメータ２の場合と同様に、「第２の識別番号」として「契約番号」を１桁ずつ入力可能となっている。すなわち、表示部３ｄが「識別番号入力画面」となっている状態で、操作ボタン５ｂの上部の三角印を押すと、入力可能な桁がその都度、右に１つずつ移動し、下部の三角印を押すと、入力可能な桁がその都度、左へ１つずつ移動する。
【００３４】
また、操作ボタン５ｃにおいて、上部の三角印を押すと、入力される値がその都度、０〜９の間で１ずつ大きくなり、下部の三角印を押すと、入力される値がその都度、０〜９の間で１ずつ小さくなる。この状態で、確定ボタン５ａを押すと、画面に表示されている番号が「第２の識別番号」として確定され、その情報が制御部３ｃに送られる（図２（ｂ）の矢印Ｋ参照）。
さらに、この「第２の識別番号」に関する情報は、制御部３ｃからメモリ３ｆに送られて保存される（図２（ｂ）の矢印Ｌ参照）。また、メモリ３ｆに保存された「第２の識別番号」は制御部３ｃの指示に従って適宜読み出されて表示部３ｄに表示される（図２（ｂ）の矢印Ｍ参照）。
【００３５】
本実施例では、「契約番号」を「第１の識別番号」及び「第２の識別番号」として使用しているが、「契約番号」の代わりにスマートメータ２の「型番号」を「第１の識別番号」及び「第２の識別番号」として使用することもできる。
なお、「契約番号」は需要家ごとに異なるため、「契約番号」を「第１の識別番号」及び「第２の識別番号」として使用すると、他の需要家のスマートメータ２及びコンセント３と「第１の識別番号」及び「第２の識別番号」が重複してしまうおそれがない。したがって、使用時の信頼性が高まる。
【００３６】
また、「型番号」はスマートメータ２ごとに異なるため、「契約番号」を「第１の識別番号」及び「第２の識別番号」として使用した場合、他の需要家のスマートメータ２及びコンセント３と「第１の識別番号」及び「第２の識別番号」が重複する可能性がないというメリットに加え、電力会社と需要家の間の契約の有無に関わらず「第１の識別番号」及び「第２の識別番号」を設定できるというメリットがある。したがって、例えば、工場出荷時等にコンセント３のメモリ３ｆに対して事前にスマートメータ２の「型番号」を「第１の識別番号」及び「第２の識別番号」として記憶させておくこともできる。この場合、需要家が「第１の識別番号」及び「第２の識別番号」を設定する操作を行う必要がないため、需要家による「第１の識別番号」及び「第２の識別番号」の設定操作ミスを防ぐことができる。また、時間帯別コンセント３について入力部３ｅや表示部３ｄを省略して簡素な構造とし、製造コストの削減を図ることができる
【００３７】
一方、図４に示すように、ステップＳ１において、スマートメータ２の通信部２ｈから「第１の識別信号」が所定の周波数で送信され、この「第１の識別信号」を受信部３ａが受信すると、ステップＳ２からステップＳ３に進む。なお、受信部３ａは、時間帯別コンセント３ごとに予め設定された受信可能な周波数で発信された信号のみを受信する構成となっている。
【００３８】
受信部３ａがスマートメータ２の通信部２ｈから受信した「第１の識別信号」は制御部３ｃに送られ（図２（ｂ）の矢印Ｎ参照）、ステップＳ３において、制御部３ｃはメモリ３ｆに予め保存されている「第２の識別番号」を読み出して（図２（ｂ）の矢印Ｏ参照）、上記「第１の識別信号」が示す「第１の識別番号」と比較する。
そして、「第１の識別番号」と「第２の識別番号」が一致すれば、ステップＳ４において、制御部３ｃは、開閉部３ｉとランプ３ｂに「動作信号」を送る（図２（ｂ）の矢印Ｐ，Ｑ参照）。その結果、ステップＳ５において、開閉部３ｉによって差込プラグ３ｇと差込口３ｈを接続する回路が閉じられるとともに、ランプ３ｂが点灯する。
【００３９】
ステップＳ３において、スマートメータ２の通信部２ｈが発した「第１の識別信号」によって特定される「第１の識別番号」とメモリ３ｆに保存されている「第２の識別番号」が一致しなかった場合、ステップＳ２の前に戻る。すなわち、「第１の識別番号」と「第２の識別番号」が一致しない場合、制御部３ｃから開閉部３ｉとランプ３ｂに「動作信号」が送られないため、差込プラグ３ｇと差込口３ｈを接続する回路が閉じられることも、ランプ３ｂが点灯することもない。
【００４０】
スマートメータ２の通信部２ｈから送信された「第１の識別信号」を受信部３ａが受信しなくなると、ステップＳ６からステップＳ７に進んだ後、ステップＳ２の前に戻る。なお、ステップＳ７では、差込プラグ３ｇと差込口３ｈを接続する回路が開閉部３ｉによって開かれるとともに、ランプ３ｂが消灯する。
すなわち、電源供給装置１ａでは、受信部３ａがスマートメータ２の通信部２ｈから送信される「第１の識別信号」を受信している間だけ、図２（ｂ）に矢印Ｒ１，Ｒ２で示すように、差込プラグ３ｇを介して外部から供給された電力が差込口３ｈに供給される構造となっている。
【００４１】
このような構造の電源供給装置１ａにおいては、時間帯別コンセント３によってスマートメータ２が「第１の識別番号」と「第２の識別番号」に基づいて識別されるため、「第２の識別番号」と異なる「第１の識別番号」を有するスマートメータからの「第１の識別信号」を時間帯別コンセント３が誤って受信してしまうおそれがない。また、時間帯別コンセント３の開閉部３ｉはスマートメータ２の内蔵時計２ｇの現在時刻に基づいて作動する。
【実施例２】
【００４２】
図５は本発明の実施の形態に係る電源供給装置の実施例２の構成を示す模式図である。図６（ａ）及び図６（ｂ）はそれぞれ図５に示した電源供給装置を構成する集約器及び時間帯別コンセントの構成を示すブロック図である。また、図７（ａ）は集約器の正面図であり、図７（ｂ）及び図７（ｃ）はそれぞれ時間帯別コンセントの正面図及び側面図である。さらに、図８は図７に示した集約器を用いて「第２の識別番号」を設定する際の手順を示したフローチャートであり、図９は時間帯別コンセントの開閉部やランプが作動するタイミングを説明するためのフローチャートである。
なお、図１〜図３に示した構成要素については同一の符号を付して、その説明を省略する。
【００４３】
図５に示すように、電源供給装置１ｂは、実施例１の電源供給装置１ａにおいて、集約器６を備えるとともに、時間帯別コンセント３の代わりに時間帯別コンセント７を備えている。そして、スマートメータ２から送信された「第１の識別信号」を受信した集約器６が複数の時間帯別コンセント７に対して、「第１の識別信号」と同一の「第１の識別番号」を示す「第２の識別信号」を所定の時間帯ごとにそれぞれ異なる周波数でを送信すること及び必要に応じて「識別番号設定信号」を送信することが可能な構造となっている。
すなわち、電源供給装置１ｂでは、スマートメータ２が所定の時間帯に「第１の識別信号」を送信し、集約器６が受信したその「第１の識別信号」に基づいて「第２の識別信号」を所定の時間帯ごとにそれぞれ異なる周波数で送信したり、時間帯別コンセント３の「第２の識別番号」を設定するための「識別番号設定信号」を送信したりする構成となっている。
【００４４】
なお、時間帯別コンセント７に対する「第２の識別番号」の設定は、集約器６を用いて行われるため、時間帯別コンセント７には表示部や「第２の識別番号」を設定する際に使用される操作ボタンが設けられていない。また、電源供給装置１ｂにおけるスマートメータ２は電源供給装置１ａにおけるスマートメータ２と同一であり、その構成は図２（ａ）に示したとおりである。
【００４５】
図６（ａ）に示すように、集約器６は、スマートメータ２の通信部２ｈから所定の時間帯に送信された「第１の識別信号」を受信する通信部６ａと、電波時計６ｂと、制御部６ｃの指示に従って電波時計６ｂの「現在時刻」や「第１の識別番号」や「第２の識別番号」を表示する表示部６ｄと、各種の情報や制御部６ｃに対する指示の入力に用いられる入力部６ｅと、この入力部６ｅから入力された情報等が保存されるメモリ６ｆと、スマートメータ２の「現在時刻」と電波時計６ｂの「現在時刻」のずれが大きい（例えば、１分以上ずれている）場合に点灯するランプ６ｇを備えている。
【００４６】
このような構造を備えた電源供給装置１ｂにおいては、集約器６の電波時計６ｂの時刻とスマートメータ２の内蔵時計２ｇの時刻にずれが生じていることが集約器６のランプ６ｇにより視覚を通じて需要家に報知される。したがって、需要家は、屋内等に設置されている他の時計を確認するまでもなく、スマートメータ２の内蔵時計２ｇの時刻が正しい時刻からずれていることを瞬時に知ることができる。
【００４７】
図６（ｂ）に示すように、時間帯別コンセント７は、集約器６の通信部６ａから送信された「第２の識別信号」や「識別番号設定信号」を受信する受信部７ａと、制御部７ｃに対する指示の入力に用いられる入力部７ｂと、設定された「第２の識別番号」等が保存されるメモリ７ｄと、壁等に設置されたコンセントに差し込まれる差込プラグ７ｅと、電気製品等の差込プラグが差し込まれる差込口７ｆと、差込プラグ７ｅを介して外部から供給された電力を差込口７ｆに供給する回路（図示せず）を制御部７ｃの指示に従って開閉する開閉部７ｇと、差込口７ｆに対する上記電力の供給状態や後述する「第２の識別信号」や「識別番号設定信号」の受信可能状態を示すランプ７ｈを備えている。
【００４８】
図７（ａ）に示すように、集約器６の前面には、表示部６ｄと、画面切換ボタン８ａ、確定ボタン８ｂ及び操作ボタン８ｃ，８ｄからなる入力部６ｅと、ランプ６ｇが設けられている。表示部６ｄは、電波時計６ｂの「現在時刻」を示す「時刻表示画面」と、確定ボタン８ｂ及び操作ボタン８ｃ，８ｄを用いて「第２の識別番号」を入力する際に使用される「識別番号入力画面」が画面切換ボタン８ａを押すごとに切り替わる構成となっている。
【００４９】
操作ボタン８ｃは入力可能な桁を変更する際に用いられ、操作ボタン８ｄは入力する値を変更する際に用いられる。すなわち、入力可能な桁は、操作ボタン８ｃにおいて、上部の三角印を押すたびに、右へ１つずつ移動し、下部の三角印を押すたびに、左へ１つずつ移動する。また、入力される値は、操作ボタン８ｄにおいて、上部の三角印を押すたびに、０〜９の間で１ずつ大きくなり、下部の三角印を押すたびに、０〜９の間で１ずつ小さくなる。
【００５０】
この「識別番号入力画面」が表示部６ｄに表示されている状態で、確定ボタン８ｂを押すと、画面に表示されている番号が「第２の識別番号」として確定され、その情報が制御部６ｃに送られる（図６（ａ）の矢印Ａ参照）。さらに、この「第２の識別番号」に関する情報は、制御部６ｃからメモリ６ｆに送られて保存される（図６（ａ）の矢印Ｂ参照）。
一方、通信部６ａは、制御部６ｃから「第２の識別番号」に関する情報を受け取り（図６（ａ）の矢印Ｃ参照）、それを「識別番号設定信号」に変換して発信する。
【００５１】
通信部６ａは、スマートメータ２の通信部２ｈから所定の時間帯に発信された「第１の識別信号」を受け取ると、その情報を制御部６ｃに送る（図６（ａ）の矢印Ｄ参照）。制御部６ｃは、通信部６ａが「第１の識別信号」を受信した時刻から求められるスマートメータ２の内蔵時計２ｇの「現在時刻」を電波時計６ｂの「現在時刻」（図６（ａ）の矢印Ｅ参照）と比較する。そして、両者のずれが予め定められた値（例えば、１分）を超えている場合、制御部６ｃはランプ６ｇに指示を出して（図６（ａ）の矢印Ｆ参照）点灯状態にする。
【００５２】
なお、表示部６ｄは、メモリ６ｆから読み出された情報（図６（ａ）の矢印Ｇ参照）、あるいは「第２の識別番号」や電波時計６ｂの「現在時刻」に関する情報を制御部６ｃから受け取って（図６（ａ）の矢印Ｈ参照）表示する。また、通信部６ａは、スマートメータ２の通信部２ｈから受信した「第１の識別信号」に基づいて「第２の識別信号」を制御部６ｃの指示に従って所定の時間帯ごとにそれぞれ異なる周波数で発信する。
【００５３】
図７（ｂ）及び図７（ｃ）に示すように、時間帯別コンセント７は、識別番号設定信号受信ボタンからなる入力部７ｂと、差込口７ｆと、ランプ７ｈが前面に設けられており、差込プラグ７ｅが背面に設けられている。
「第２の識別番号」の設定を行う場合、図８に示したステップＳ１において、入力部７ｂの識別番号設定信号受信ボタンを押すと、その信号が制御部７ｃに送られる（図６（ｂ）の矢印Ｉ参照）。なお、「第２の識別番号」の設定を行わない場合には、ステップＳ７に進む。
ステップＳ２では、制御部７ｃから受信部７ａとランプ７ｈに対してそれぞれ動作信号が送られる（図６（ｂ）の矢印Ｊ，Ｋ参照）。これにより、ランプ７ｈは点灯し、受信部７ａは集約器６の通信部６ａが発信した「識別番号設定信号」を受信可能な状態になる。
【００５４】
受信部７ａは、ステップＳ３において、集約器６の通信部６ａが発した「識別番号設定信号」を受信すると、それを制御部７ｃに送る（図６（ｂ）の矢印Ｌ参照）。制御部７ｃは、ステップＳ４において「識別番号設定信号」から「第２の識別番号」を特定した後、ステップＳ５において、この「第２の識別番号」をメモリ７ｄに送って保存させる（図６（ｂ）の矢印Ｍ参照）。
さらに、制御部７ｃは、ステップＳ６において、受信部７ａとランプ７ｈに対してそれぞれ動作信号を送る（図６（ｂ）の矢印Ｊ，Ｋ参照）。これにより、ランプ７は消灯し、受信部７ａは上述の「識別番号設定信号」の受信可能状態が解除される。
なお、入力部７ｂの識別番号設定信号受信ボタンを押すと、再び、ランプ７ｈは点灯し、受信部７ａは上記「識別番号設定信号」を受信可能な状態となる。
【００５５】
なお、受信部７ａは、電源供給装置1ａの受信部３ａの場合と同様に、受信可能な信号の周波数が、時間帯別コンセント７ごとに予め設定されている。したがって、ステップＳ７において、受信部７ａが集約器６の通信部６ａから所定の周波数で発信された「第２の識別信号」を受信可能な場合、制御部７ｃは、ステップＳ８において、メモリ７ｄに保存されている「第２の識別番号」を読み出して（図５（ｂ）の矢印Ｎ参照）、受信部７ａが受信した上記「第２の識別信号」によって特定される「第１の識別番号」と比較する。
上記比較により、両者の番号が一致した場合、ステップＳ９において、制御部７ｃは、開閉部７ｇとランプ７ｈに動作信号を送る（図５（ｂ）の矢印Ｏ，Ｋ参照）。その結果、ステップＳ１０において、開閉部７ｇによって差込プラグ７ｅと差込口７ｆを接続する回路が閉じられるとともに、ランプ７ｈが点灯する。
【００５６】
ステップＳ８において、集約器６の通信部６ａが発した「第２の識別信号」によって特定される「第１の識別番号」とメモリ７ｄに保存されている「第２の識別番号」が一致しなかった場合、ステップＳ７の前に戻る。すなわち、「第１の識別番号」と「第２の識別番号」が一致しない場合、制御部７ｃから開閉部７ｇとランプ７ｈに「動作信号」が送られないため、差込プラグ７ｅと差込口７ｆを接続する回路が閉じられることも、ランプ７ｈが点灯することもない。
【００５７】
集約器６の通信部６ａから送信された「第２の識別信号」を受信部７ａが受信しなくなると、ステップＳ１１からステップＳ１２に進んだ後、ステップＳ７の前に戻る。なお、ステップＳ１２では、差込プラグ７ｅと差込口７ｆを接続する回路が開閉部７ｇによって開かれるとともに、ランプ７ｈが消灯する。
すなわち、電源供給装置１ｂでは、受信部７ａが集約器６の通信部６ａから送信される「第２の識別信号」を受信している間だけ、図６（ｂ）に矢印Ｐ１，Ｐ２で示すように、差込プラグ７ｅを介して外部から供給された電力が差込口７ｆに供給される構造となっている。
【００５８】
このような構造の電源供給装置１ｂにおいては、時間帯別コンセント７に対する「第２の識別番号」の設定が集約器６を用いて行われるため、時間帯別コンセント７には表示部や「第２の識別番号」を設定する際に使用される操作ボタンを設ける必要がない。したがって、電源供給装置１ｂが小型化され、時間帯別コンセント３の「第２の識別番号」の設定作業が容易になる。これにより、時間帯別コンセント３の設置場所に対する制約を少なくするとともに、時間帯別コンセント３を設置する際の作業性を向上させることが可能となる。
【００５９】
また、スマートメータ２の内蔵時計２ｇが正確な時刻を示していない場合でも集約器６が電波時計６ｂに基づいて「第２の識別信号」を発信するため、時間帯別コンセント７は正確な時刻に基づいて作動する。したがって、需要家は、壁等のコンセントに差込プラグ７ｅが差し込まれた状態の複数の時間帯別コンセント７の中から、電気料金の安い時間帯に対応した時間帯別コンセント７を選択して、その差込口７ｆに電気製品等の差込プラグを差し込むことで、スマートメータ２の内蔵時計２ｇの時刻と屋内に設置された時計の時刻が合っていない場合に発生する可能性がある「思うように電気料金が安くならない」という不具合を回避することができる。
【００６０】
なお、電源供給装置１ｂにおいても電源供給装置１ａの場合と同様に、「契約番号」を「第１の識別番号」及び「第２の識別番号」として使用する代わりにスマートメータ２の「型番号」を「第１の識別番号」及び「第２の識別番号」として使用することができる。この場合、メモリ７ｄにスマートメータ２の「型番号」を「第２の識別番号」として予め記憶させておくことにより、集約器６で「第２の識別番号」を設定する作業を省略することができる。これにより、電源供給装置１ｂの取扱いが容易となるだけでなく、集約器６の入力部６ｅやメモリ６ｆ、及び時間帯別コンセント７の入力部７ｂを省略して簡素な構造とし、製造コストの削減を図ることができる。
【００６１】
本実施例では、スマートメータ２の「現在時刻」と電波時計６ｂの「現在時刻」を比較して、両者に１分以上のずれがあると判断した場合に、制御部６ｃが動作信号を送ってランプ６ｇを点灯させる構造となっているが、制御部６ｃがランプ６ｇを点灯させる条件である上述の時刻のずれは１分以上に限らず、適宜変更可能である。
【産業上の利用可能性】
【００６２】
本発明は、電気料金の安い時間帯を選んで電気製品等の使用をするように心がけている需要家がスマートメータの内蔵時計が正確でない場合でも不利益を被らないようにすることを目的として使用されるものである。
【符号の説明】
【００６３】
１ａ，１ｂ…電源供給装置  ２…スマートメータ  ２ａ…端子部  ２ｂ…計量部  ２ｃ…演算部  ２ｄ…制御部  ２ｅ…メモリ  ２ｆ…表示部  ２ｇ…内蔵時計  ２ｈ…通信部  ２ｉ…入力部  ３…時間帯別コンセント  ３ａ…受信部  ３ｂ…ランプ  ３ｃ…制御部  ３ｄ…表示部  ３ｅ…入力部  ３ｆ…メモリ  ３ｇ…差込プラグ  ３ｈ…差込口  ３ｉ…開閉部  ４ａ…画面切換ボタン  ４ｂ…確定ボタン  ４ｃ，４ｄ…操作ボタン  ５ａ…確定ボタン  ５ｂ，５ｃ…操作ボタン  ６…集約器  ６ａ…通信部  ６ｂ…電波時計  ６ｃ…制御部  ６ｄ…表示部  ６ｅ…入力部  ６ｆ…メモリ  ６ｇ…ランプ  ７…時間帯別コンセント  ７ａ…受信部  ７ｂ…入力部  ７ｃ…制御部  ７ｄ…メモリ  ７ｅ…差込プラグ  ７ｆ…差込口  ７ｇ…開閉部  ７ｈ…ランプ  ８ａ…画面切換ボタン  ８ｂ…確定ボタン  ８ｃ，８ｄ…操作ボタン  
【図１】
2018093591.tif 000003
【図２】
2018093591.tif 000004
【図３】
2018093591.tif 000005
【図４】
2018093591.tif 000006
【図５】
2018093591.tif 000007
【図６】
2018093591.tif 000008
【図７】
2018093591.tif 000009
【図８】
2018093591.tif 000010
【図９】
2018093591.tif 000011